(57)【要約】【課題】送信波長が可変可能な送信器の送信波長を自動的に設定する機構を設けた光送信装置を提供すること。【解決手段】波長設定器２６０は、駆動部２１２、およびＢＰＦ２４０に対してλ０〜λＮの波長を設定するように波長設定信号を順次送出し、ＢＰＦ２４０において波長λ１〜λＮまでのすべての波長を掃引する。その間、光強度検出器２５０が波長を検出した場合、波長設定器２６０は、検出した波長を既設定波長であると認識し、登録する。波長設定器２６０は、駆動部２１２、およびＢＰＦ２３０に対して、既設定波長をスキップしながら波長設定信号を送出し、未設定波長を掃引する。その際、光強度検出器２５０において、波長が検出されないときには、波長設定信号を次の波長に変更する。一方、光強度検出器において、波長が検出されたときには、波長合波器の入力ポートに接続された送信器の送信波長を当該波長に設定する。【選択図】図４
2010154062.tif 000002
【特許請求の範囲】
【請求項１】
送信波長を可変可能な送信器と、
前記送信器の送信波長を波長合波する波長合波器と、
前記波長合波器の出力光が入力されるよう前記波長合波器に接続された透過波長を可変可能な光フィルタと、
前記光フィルタの出力光が入力されるように前記光フィルタに接続された光強度検出器と、
前記光強度検出器に接続された、前記光フィルタの透過波長を設定可能なように前記光フィルタと接続された波長設定器と、
を備え、前記送信器又は送信波長を可変可能な新たな送信器が前記波長合波器の任意の入力ポートに新たに接続されたとき、前記波長設定器は、
送信波長が設定可能なように前記新たに接続された送信器を接続し、
前記光フィルタの透過波長を掃引し（第１の掃引）、
前記光強度検出器が前記第１の掃引において検出した第１の送信波長を既設定波長として登録し、
前記送信器の送信波長と前記光フィルタの透過波長とを合わせつつ、前記既設定波長をスキップしながら前記新たに接続された送信器の送信波長及び前記光フィルタの透過波長を掃引し（第２の掃引）、
前記光強度検出器が前記第２の掃引において検出した第２の送信波長を前記新たに接続された送信器の送信波長として設定する
ことを特徴とする光送信装置。
【請求項２】
さらに波長監視回路を備え、前記波長設定器は、前記第１の掃引を行う代わりに、前記波長監視回路内の既設定波長情報に基づいて前記既設定波長の登録を行い、前記送信器の送信波長の設定が完了後、前記送信器の設定波長情報を前記波長監視回路に伝達することを特徴とする請求項１に記載の光送信装置。
【請求項３】
前記波長監視回路は、前記送信器の通電情報を監視して前記通電情報を前記波長設定気に伝達し、前記波長設定器は、既設定波長として登録されていた前記送信器が未通電となったとき前記未通電になった送信器の送信波長を未設定波長として登録することを特徴とする請求項２に記載の光送信装置。
【請求項４】
送信波長を可変可能な送信器と、
前記送信器の送信波長を波長合波する波長合波器と、
前記波長合波器の出力光が入力されるよう前記波長合波器に接続された透過波長を可変可能な光フィルタと、
前記光フィルタの出力光が入力されるように前記光フィルタに接続された光強度検出器と、
前記光強度検出器に接続された波長情報検出器と、
前記光強度検出器に接続され、前記送信器の送信波長および前記光フィルタの透過波長を設定可能なように前記送信器および前記光フィルタと接続された波長設定器と、
を備え、前記送信器又は送信波長を可変可能な新たな送信器が前記波長合波器の任意の入力ポートに新たに接続されたとき、前記波長設定器は、
送信波長が設定可能なように前記新たに接続された送信器を接続し、
前記新たに接続した送信器の送信波長を点滅し、
前記送信器の送信波長と前記光フィルタの透過波長とを合わせつつ、前記新たに接続された送信器の送信波長および前記光フィルタの透過波長を掃引し、
前記光強度検出器が前記掃引された送信波長を検出し、かつ、前記波長情報検出器が前記送信器の送信波長の点滅を検出したときの波長を前記新たに接続された送信器の送信波長として設定する
ことを特徴とする光送信装置。
【請求項５】
送信波長を可変可能な送信器と、
前記送信器の送信波長に波長設定情報を重畳する波長情報重畳器と、
前記送信器の送信波長を波長合波する波長合波器と、
前記波長合波器の出力光が入力されるよう前記波長合波器に接続された透過波長を可変可能な光フィルタと、
前記光フィルタの出力光が入力されるように前記光フィルタに接続された光強度検出器と、
前記光強度検出器に接続された波長情報検出器と、
前記光強度検出器に接続され、前記光フィルタの透過波長を設定可能なように前記光フィルタに接続された波長設定器と、
を備え、前記送信器又は波長設定情報を重畳された、送信波長を可変可能な新たな送信器が前記波長合波器の任意の入力ポートに新たに接続されたとき、前記波長設定器は、
送信波長を設定可能なように前記新たに接続された送信器に接続し、
前記送信器の送信波長、および前記光フィルタの透過波長を合わせつつ、前記新たに接続された送信器の送信波長および前記光フィルタの透過波長を掃引し、
前記光強度検出器が前記掃引された送信波長を検出し、かつ、前記波長情報検出器が波長未設定を示す前記波長設定情報を検出したときの波長を前記新に接続された送信器の送信波長として設定する
ことを特徴とする光送信装置。
【請求項６】
送信波長を可変可能な送信器と、前記送信器の送信波長を波長合波する波長合波器と、前記波長合波器の出力光が入力されるよう前記波長合波器に接続された透過波長を可変可能な光フィルタと、前記光フィルタの出力光が入力されるように前記光フィルタに接続された光強度検出器と、前記光強度検出器に接続された、前記光フィルタの透過波長を設定可能なように前記光フィルタと接続された波長設定器とを備えた光送信装置において、前記送信器又は送信波長を可変可能な新たな送信器が前記波長合波器の任意の入力ポートに新たに接続されたときの前記新たに接続された送信器の送信波長設定方法であって、
前記光強度検出器が送信波長を設定可能なように前記新たに接続された送信器を接続するステップと、
前記波長設定器が前記光フィルタの透過波長を掃引する（第１の掃引）ステップと、
前記波長設定器が、前記光強度検出器が前記第１の掃引において検出した第１の送信波長を既設定波長として記憶するステップと、
前記波長設定器が、前記送信器の送信波長と前記光フィルタの透過波長とを合わせつつ、前記既設定波長をスキップしながら前記新たに接続された送信器の送信波長及び前記光フィルタの透過波長を掃引する（第２の掃引）ステップと、
前記波長設定器が前記第２の掃引において検出した第２の送信波長を前記新たに接続された送信器の送信波長として設定するステップと
を有することを特徴とする送信波長設定方法。
【請求項７】
送信波長を可変可能な送信器と、前記送信器の送信波長を波長合波する波長合波器と、前記波長合波器の出力光が入力されるよう前記波長合波器に接続された透過波長を可変可能な光フィルタと、前記光フィルタの出力光が入力されるように前記光フィルタに接続された光強度検出器と、前記光強度検出器に接続された波長情報検出器と、前記光強度検出器に接続され、前記送信器の送信波長および前記光フィルタの透過波長を設定可能なように前記送信器および前記光フィルタと接続された波長設定器とを備えた光送信装置において、前記送信器又は送信波長を可変可能な新たな送信器が前記波長合波器の任意の入力ポートに新たに接続されたときの前記新たに接続された送信器の送信波長設定方法であって、
前記波長設定器が送信波長を設定可能なように前記新たに接続された送信器を接続するステップと、
前記新たに接続した送信器が送信波長を点滅するステップと、
前記波長設定器が、前記送信器の送信波長と前記光フィルタの透過波長とを合わせつつ、前記新たに接続された送信器の送信波長および前記光フィルタの透過波長を掃引するステップと、
前記波長設定器が、前記光強度検出器が前記掃引された送信波長を検出し、かつ、前記波長情報検出器が前記送信器の送信波長の点滅を検出したときの波長を前記新たに接続された送信器の送信波長として設定するステップと
を有することを特徴とする送信波長設定方法。
【請求項８】
送信波長を可変可能な送信器と、前記送信器の送信波長に波長設定情報を重畳する波長情報重畳器と、前記送信器の送信波長を波長合波する波長合波器と、前記波長合波器の出力光が入力されるよう前記波長合波器に接続された透過波長を可変可能な光フィルタと、前記光フィルタの出力光が入力されるように前記光フィルタに接続された光強度検出器と、前記光強度検出器に接続された波長情報検出器と、前記光強度検出器に接続され、前記光フィルタの透過波長を設定可能なように前記光フィルタに接続された波長設定器とを備えた光送信装置において、前記送信器又は波長設定情報を重畳された、送信波長を可変可能な新たな送信器が前記波長合波器の任意の入力ポートに新たに接続されたときの前記新たに接続された送信器の送信波長設定方法であって、
前記波長設定器が送信波長を設定可能なように前記新たに接続された送信器を接続するステップと、
前記波長設定器が前記送信器の送信波長、および前記光フィルタの透過波長を合わせつつ、前記新たに接続された送信器の送信波長および前記光フィルタの透過波長を掃引するステップと、
前記波長設定器が、前記光強度検出器が前記掃引された送信波長を検出し、かつ、前記波長情報検出器が波長未設定を示す前記波長設定情報を検出したときの波長を前記新に接続された送信器の送信波長として設定するステップと
を有することを特徴とする送信波長設定方法。
【発明の詳細な説明】
【技術分野】
【０００１】
本発明は、光送信装置および送信波長設定方法に関し、より詳細には、送信波長が可変可能な送信器を用いた波長多重光通信システムにおいて、送信器の送信波長を自動的に設定する光送信装置および送信波長設定方法に関する。
【背景技術】
【０００２】
近年、インターネットをはじめとするデータ通常トラフィックの増大により、波長多重（ＷＤＭ：Wavelength Division Multiplexing）技術を利用した、大容量なコアネットワークやメトロネットワークの構築が進んでいる。本技術は、大容量化だけでなく、波長ごとに異なったサービスや利用者を割り当てることにより、ネットワークを柔軟に構築することにも寄与し得る。
【０００３】
図１に、ＷＤＭ光通信システムにおいて使用される従来の光送受信装置の構成を示す。本光送受信装置は、Ｎ個の光送受信器１１０−１〜１１０−Ｎ、波長合波器１２０、波長分波器１３０により構成される。さらに、光送受信器１１０−１〜１１０−Ｎは、送信器１１１−１〜１１１−Ｎ、受信器１１２−１〜１１２−Ｎから構成される。送信器１１１−１〜１１１−Ｎの送信波長は、波長合波器１２０の各入力ポートの透過波長に一致しており、例えば、光送受信機１１０−１は、波長λ１の光信号を送信し、出力ポートに対して波長λ１を透過する波長合波器１２０の入力ポートに接続される。光送受信機１１０−２〜１１０−Ｎについても同様であり、波長合波器１２０の出力ポートにおいて、λ１〜λＮのＷＤＭ信号が生成され、光ファイバ伝送路へ入射される。一方、光ファイバ伝送路から送られてきたＷＤＭ信号は、波長分波器１３０において、波長ごとに分波される。分波された光信号は、光送受信器１１０−１〜１１０−Ｎの各受信器１１２−１〜１１２−Ｎに送られ各々個別に受信される（特許文献１参照）。
【０００４】
従来は、送信器１１１−１〜１１１−Ｎに搭載する光源として、送信波長が固定のレーザが用いられていたが、送信波長が可変可能なレーザを用いることが望ましい。受信器１１２−１〜１１２−Ｎが受信できる波長域は広いため、送信波長が可変可能なレーザを送信器１１１−１〜１１１−Ｎに搭載できれば、光送受信器１１０−１〜１１０−Ｎを単一品種化し、波長の管理が容易になるからである。近年では、低価格化を志向した波長可変レーザが市販されるようになってきており、光送受信器の単一品種化も実現性を帯びてきている。
【０００５】
図２に、送信波長が可変可能な送信器を用いた従来の光送信装置の構成を示す。光送信器１４０−１、および光送信器１４０−２は、それぞれ、波長λ１、および波長λ２の波長が送信されるように設定され、さらに、各出力ポートに対して波長λ１、および波長λ２を透過する波長合波器１２０の入力ポートに接続されている。ここでは、図に示すように、新たに光送信器１４０−３を波長合波器１２０の入力ポートに接続する場合を考える。その場合、光送信器１４０−３から波長λ３が送信されるように、送信器１４１−３の外部から何らかの手法により送信波長を設定し、さらに、光送信器１１０−３を出力ポートに対して波長λ３を透過する波長合波器１２０の入力ポート＃３に接続することで作業は一応完了する。
【０００６】
【特許文献１】特開２００２−０３１７８６号公報
【発明の開示】
【発明が解決しようとする課題】
【０００７】
しかしながら、送信器１１０−３の送信波長と、その送信波長が透過する波長合波器の入力ポートとを一致させるこれらの作業を全て人の判断に任せると、波長数が多い光送信装置において、高い確率でヒューマンエラーが起こりうるという課題があった。
【０００８】
本発明は、このような課題に鑑みてなされたもので、その目的とするところは、送信波長が可変可能な送信器を用いたＷＤＭ光通信システムにおいて、送信器の送信波長を自動的に設定する機構を設けることで、光送信器と波長合波器の接続作業において起こりうるヒューマンエラーを排除することのできる光送信装置および送信波長設定方法を提供することにある。
【課題を解決するための手段】
【０００９】
このような目的を達成するために、請求項１に記載の発明は、送信波長を可変可能な送信器と、前記送信器の送信波長を波長合波する波長合波器と、前記波長合波器の出力光が入力されるよう前記波長合波器に接続された透過波長を可変可能な光フィルタと、前記光フィルタの出力光が入力されるように前記光フィルタに接続された光強度検出器と、前記光強度検出器に接続された、前記光フィルタの透過波長を設定可能なように前記光フィルタと接続された波長設定器と、を備え、前記送信器又は送信波長を可変可能な新たな送信器が前記波長合波器の任意の入力ポートに新たに接続されたとき、前記波長設定器は、送信波長が設定可能なように前記新たに接続された送信器を接続し、前記光フィルタの透過波長を掃引し（第１の掃引）、前記光強度検出器が前記第１の掃引において検出した第１の送信波長を既設定波長として記憶し、前記送信器の送信波長と前記光フィルタの透過波長とを合わせつつ、前記既設定波長をスキップしながら前記新たに接続された送信器の送信波長及び前記光フィルタの透過波長を掃引し（第２の掃引）、前記光強度検出器が前記第２の掃引において検出した第２の送信波長を前記新たに接続された送信器の送信波長として設定することを特徴とする。
【００１０】
請求項２に記載の発明は、請求項１に記載の光送信装置において、さらに波長監視回路を備え、前記波長設定器は、前記第１の掃引を行う代わりに、前記波長監視回路内の既設定波長情報に基づいて前記既設定波長の認識を行い、前記送信器の送信波長の設定が完了後、前記送信器の設定波長情報を前記波長監視回路に伝達することを特徴とする。
【００１１】
請求項３に記載の発明は、請求項２に記載の光送信装置において、前記波長監視回路は、前記送信器の通電情報を監視して前記通電情報を前記波長設定気に伝達し、前記波長設定器は、既設定波長として登録されていた前記送信器が未通電となったとき前記未通電になった送信器の送信波長を未設定波長として登録することを特徴とする。
【００１２】
請求項４に記載の発明は、送信波長を可変可能な送信器と、前記送信器の送信波長を波長合波する波長合波器と、前記波長合波器の出力光が入力されるよう前記波長合波器に接続された透過波長を可変可能な光フィルタと、前記光フィルタの出力光が入力されるように前記光フィルタに接続された光強度検出器と、前記光強度検出器に接続された波長情報検出器と、前記光強度検出器に接続され、前記送信器の送信波長および前記光フィルタの透過波長を設定可能なように前記送信器および前記光フィルタと接続された波長設定器と、を備え、前記送信器又は送信波長を可変可能な新たな送信器が前記波長合波器の任意の入力ポートに新たに接続されたとき、前記波長設定器は、送信波長が設定可能なように前記新たに接続された送信器を接続し、前記新たに接続した送信器の送信波長を点滅し、前記送信器の送信波長と前記光フィルタの透過波長とを合わせつつ、前記新たに接続された送信器の送信波長および前記光フィルタの透過波長を掃引し、前記光強度検出器が前記掃引された送信波長を検出し、かつ、前記波長情報検出器が前記送信器の送信波長の点滅を検出したときの波長を前記新たに接続された送信器の送信波長として設定することを特徴とする。
【００１３】
請求項５に記載の発明は、送信波長を可変可能な送信器と、前記送信器の送信波長に波長設定情報を重畳する波長情報重畳器と、前記送信器の送信波長を波長合波する波長合波器と、前記波長合波器の出力光が入力されるよう前記波長合波器に接続された透過波長を可変可能な光フィルタと、前記光フィルタの出力光が入力されるように前記光フィルタに接続された光強度検出器と、前記光強度検出器に接続された波長情報検出器と、前記光強度検出器に接続され、前記光フィルタの透過波長を設定可能なように前記光フィルタに接続された波長設定器と、を備え、前記送信器又は波長設定情報を重畳された、送信波長を可変可能な新たな送信器が前記波長合波器の任意の入力ポートに新たに接続されたとき、前記波長設定器は、送信波長を設定可能なように前記新たに接続された送信器に接続し、前記送信器の送信波長、および前記光フィルタの透過波長を合わせつつ、前記新たに接続された送信器の送信波長および前記光フィルタの透過波長を掃引し、前記光強度検出器が前記掃引された送信波長を検出し、かつ、前記波長情報検出器が波長未設定を示す前記波長設定情報を検出したときの波長を前記新に接続された送信器の送信波長として設定することを特徴とする。
【００１４】
請求項６に記載の発明は、送信波長を可変可能な送信器と、前記送信器の送信波長を波長合波する波長合波器と、前記波長合波器の出力光が入力されるよう前記波長合波器に接続された透過波長を可変可能な光フィルタと、前記光フィルタの出力光が入力されるように前記光フィルタに接続された光強度検出器と、前記光強度検出器に接続された、前記光フィルタの透過波長を設定可能なように前記光フィルタと接続された波長設定器とを備えた光送信装置において、前記送信器又は送信波長を可変可能な新たな送信器が前記波長合波器の任意の入力ポートに新たに接続されたときの前記新たに接続された送信器の送信波長設定方法であって、前記光強度検出器が送信波長を設定可能なように前記新たに接続された送信器を接続するステップと、前記波長設定器が前記光フィルタの透過波長を掃引する（第１の掃引）ステップと、前記波長設定器が、前記光強度検出器が前記第１の掃引において検出した第１の送信波長を既設定波長として記憶するステップと、前記波長設定器が、前記送信器の送信波長と前記光フィルタの透過波長とを合わせつつ、前記既設定波長をスキップしながら前記新たに接続された送信器の送信波長及び前記光フィルタの透過波長を掃引する（第２の掃引）ステップと、前記波長設定器が前記第２の掃引において検出した第２の送信波長を前記新たに接続された送信器の送信波長として設定するステップとを有することを特徴とする。
【００１５】
請求項７に記載の発明は、送信波長を可変可能な送信器と、前記送信器の送信波長を波長合波する波長合波器と、前記波長合波器の出力光が入力されるよう前記波長合波器に接続された透過波長を可変可能な光フィルタと、前記光フィルタの出力光が入力されるように前記光フィルタに接続された光強度検出器と、前記光強度検出器に接続された波長情報検出器と、前記光強度検出器に接続され、前記送信器の送信波長および前記光フィルタの透過波長を設定可能なように前記送信器および前記光フィルタと接続された波長設定器とを備えた光送信装置において、前記送信器又は送信波長を可変可能な新たな送信器が前記波長合波器の任意の入力ポートに新たに接続されたときの前記新たに接続された送信器の送信波長設定方法であって、前記波長設定器が送信波長を設定可能なように前記新たに接続された送信器を接続するステップと、前記新たに接続した送信器が送信波長を点滅するステップと、前記波長設定器が、前記送信器の送信波長と前記光フィルタの透過波長とを合わせつつ、前記新たに接続された送信器の送信波長および前記光フィルタの透過波長を掃引するステップと、前記波長設定器が、前記光強度検出器が前記掃引された送信波長を検出し、かつ、前記波長情報検出器が前記送信器の送信波長の点滅を検出したときの波長を前記新たに接続された送信器の送信波長として設定するステップとを有することを特徴とする。
【００１６】
請求項８に記載の発明は、送信波長を可変可能な送信器と、前記送信器の送信波長に波長設定情報を重畳する波長情報重畳器と、前記送信器の送信波長を波長合波する波長合波器と、前記波長合波器の出力光が入力されるよう前記波長合波器に接続された透過波長を可変可能な光フィルタと、前記光フィルタの出力光が入力されるように前記光フィルタに接続された光強度検出器と、前記光強度検出器に接続された波長情報検出器と、前記光強度検出器に接続され、前記光フィルタの透過波長を設定可能なように前記光フィルタに接続された波長設定器とを備えた光送信装置において、前記送信器又は波長設定情報を重畳された、送信波長を可変可能な新たな送信器が前記波長合波器の任意の入力ポートに新たに接続されたときの前記新たに接続された送信器の送信波長設定方法であって、前記波長設定器が送信波長を設定可能なように前記新たに接続された送信器を接続するステップと、前記波長設定器が前記送信器の送信波長、および前記光フィルタの透過波長を合わせつつ、前記新たに接続された送信器の送信波長および前記光フィルタの透過波長を掃引するステップと、前記波長設定器が、前記光強度検出器が前記掃引された送信波長を検出し、かつ、前記波長情報検出器が波長未設定を示す前記波長設定情報を検出したときの波長を前記新に接続された送信器の送信波長として設定するステップとを有することを特徴とする。
【発明の効果】
【００１７】
本発明によれば、送信波長が可変可能な送信器を用いたＷＤＭ光通信システムにおいて、送信器の送信波長を自動的に設定する機構を設けることで、光送信器と波長合波器の接続作業において起こりうるヒューマンエラーを排除することが可能になる。
【発明を実施するための最良の形態】
【００１８】
（実施形態１）
図３に、本発明の実施形態１に係る光送信装置の構成を示す。光送信装置は、Ｎ個の光送信器２１０−１〜２１０−Ｎ、波長合波器２２０、光分岐器２３０、透過波長をλ１〜λＮの範囲で可変可能なバンドパスフィルタ（ＢＰＦ）２４０、光強度検出器２５０、波長設定器２６０から構成される。さらに各々の光送信器２１０−１〜２１０−Ｎは、送信波長をλ０〜λＮの範囲で可変可能な送信器２１１−１〜２１１−Ｎ、および各送信器２１１−１〜２１１−Ｎを駆動する駆動部２１２−１〜２１２−Ｎから構成される。ここで、駆動部２１２−１〜２１２−Ｎは、波長設定器か２６０らの波長設定信号に基づいて送信器２１１−１〜２１１−Ｎの波長を設定し、さらに波長出力のオンオフを行う。光送信器２１１−１、および光送信器２１１−２は、波長λ１、および波長λ２が送信されるように設定され、さらにそれぞれ、出力ポートに対して波長λ１、および波長λ２を透過する波長合波器２２０の入力ポートに接続されている。
【００１９】
ここでは例として、作業者が、新たに光送信器２１０−３を、出力ポートに対して波長λ４を透過する波長合波器２２０の入力ポート＃４に接続した場合を考える。
【００２０】
図４に、本光送信装置による波長設定動作のフローチャートを示す。まず波長設定器２６０は、駆動部２１２、およびＢＰＦ２４０に対してλ０〜λＮの波長を設定するように波長設定信号を順次送出し、ＢＰＦ２４０において波長λ１〜λＮまでのすべての波長を掃引する（第一の掃引、Ｓ３０１）。その間、光強度検出器２５０が波長を検出した場合、波長設定器２６０は、検出した波長を既設定波長であると認識し、登録する（Ｓ３０２）。続いて、波長設定器２６０は、駆動部２１２、およびＢＰＦ２３０に対して、既設定波長をスキップしながら波長設定信号を送出し、未設定波長を掃引する（第二の掃引、Ｓ３０３）。その際、光強度検出器２５０において、波長が検出されないときには、波長設定信号を次の波長に変更する。一方、光強度検出器において、波長が検出されたときには、波長合波器の入力ポートに接続された送信器の送信波長を当該波長に設定し、波長設定動作を完了する（Ｓ３０４）。
【００２１】
図３に示す実施形態１では、波長設定器２６０が、送信器２１２−３の送信波長、およびＢＰＦ２４０の透過波長をλ１→λ２→〜→λＮの順に掃引することで、λ１〜λ２の波長が既設定波長であることを認識し、続いて、λ３→λ４の順に掃引することで、最終的に、送信器２１２−３の送信波長をλ４に設定し、動作を終了している。
【００２２】
本実施形態１に係る光送信装置によれば、送信波長が可変可能な送信器を用いたＷＤＭ光通信システムにおいて、波長合波器に２２０接続された送信器２１１−１〜２１１−Ｎの送信波長、およびＢＰＦ２４０の透過波長を合わせつつ掃引する機構を利用して、自動的に送信波長を設定する機能を実現している。
【００２３】
（実施形態２）
図５に、本発明の実施形態２に係る光送信装置の構成を示す。実施形態１に示した光送信装置の構成とほぼ同様であるが、波長設定器２６０に接続された波長監視回路２７０を付加している点が実施形態１と異なる。
【００２４】
図６に、実施形態２に係る光送信装置による波長設定動作のフローチャートを示す。図４に示すフローチャートとは異なり、波長設定器２６０は、波長監視回路２７０から既設定波長情報を読み出すことにより、既設定波長を認識する。また波長設定完了後に、波長監視回路２７０に設定波長情報を送る動作が付加されている。図５の構成では、波長設定器２６０が、波長監視回路２７０から既設定波長情報を読み出すことにより、λ１〜λ２の波長が既設定波長であることを認識し、続いて、送信器２１２−３の送信波長、およびＢＰＦ２４０の透過波長を、λ３→λ４の順に掃引することで、最終的に、送信器２１２−３の送信波長をλ４に設定し、動作を終了している。
【００２５】
本実施形態２に係る光送信装置によれば、波長設定器２６０が、波長監視回路２７０から既設定波長情報を読み出しそれを認識することで、実施形態１における第一の掃引を省略し、波長設定完了までの時間を短縮することができる。
【００２６】
（実施形態３）
図７に、本発明の実施形態３に係る光送信装置の構成を示す。実施形態２に示した光送信装置の構成とほぼ同様であるが、各光送信器２１０−１〜２１０−Ｎから波長監視回路２７０に送信器２１２−１〜２１２−Ｎの通電情報を伝達している点が異なる。
【００２７】
本実施形態３による光送信装置によれば、光送信器２１０−１〜２１０−Ｎが光送信装置から取り外され、それまで使用していた既波長設定が空きになった場合に、波長監視回路２７０がその波長を未設定波長として認識することができる。なお、通電情報の伝達は、常に行ってもよいし、間隔を置いて定期的に行ってもよい。
【００２８】
（実施形態４）
図８に、本発明の実施形態４に係る光送信装置の構成を示す。実施形態１に示した光送信装置の構成とほぼ同じであるが、光強度検出器２５０と波長設定器２６０の間に、波長情報検出器２８０が付加されている点において実施形態１と異なる。また、波長合波器２２０に接続された新たに設定を行う送信器２１１−３の送信波長は点滅されている。
【００２９】
波長設定動作は、以下のように行われる。まず、波長合波器に接続された送信器の送信波長、および光フィルタの透過波長を合わせつつ、送信器の送信波長を順次掃引する。その際、光強度検出器が、掃引された送信波長を検出し、さらに波長情報検出器が、送信器の送信波長の点滅を検出しないとき、当該波長を既設定波長として認識し、次の波長に移る。一方、光強度検出器が、掃引された送信波長を検出し、さらに波長情報検出器が、送信器の送信波長の点滅を検出したとき、送信器２１２−３の送信波長を、当該波長に設定する。
【００３０】
図８では、波長合波器２２０の入力ポート＃１、＃２、＃４に送信器２１１−１〜２１１−３が接続されており、送信器２１１−３の設定を行う状況を示している。波長設定器２６０が、送信器２１２−３の送信波長、およびＢＰＦ２４０の透過波長を、λ１→λ２の順に掃引している間は、光強度検出器２５０が波長を検出するものの、波長情報検出器２８０は、送信器２１２−３の送信波長の点滅を検出しないため、波長設定器２６０は、λ１→λ２の波長が既設定波長であることを認識する。続いて、波長λ３に移るが、波長λ３が透過可能な入力ポート＃３には送信器が接続されていないことから、光強度検出器２５０は送信波長を検出しないため、波長設定器２６０は、λ３が透過可能な入力ポート＃３には送信器が接続されていないと認識しλ４に移る。波長がλ４に移ると、光強度検出器２５０は波長を検出し、さらに波長情報検出器２８０は、送信器２１２−３の送信波長の点滅を検出するため、波長設定器２６０は、λ４が未設定波長であることを認識し、最終的に、送信器２１２−３の送信波長をλ４に設定し、動作を終了する。
【００３１】
本実施例による光送信装置によれば、波長λ１〜λＮの掃引を行えば、その間に未設定波長を見つけることができることから、実施形態１における第１の掃引を行う間に、波長の設定が完了することになり、実施形態２と同様、波長設定完了までの時間を短縮することができる。
【００３２】
（実施形態５）
図９に、本発明の実施形態５に係る光送信装置の構成を示す。実施形態４に示した光送信装置と構成はほぼ同じであるが、光送信器２１０−１〜２１０−３に、波長情報重畳器２１３−１〜２１３−３が付加されている点において異なる。また、波長合波器２２０に接続された送信器２１１−３の送信波長は、点滅する代わりに、波長情報重畳器２１３−３において、波長未設定情報とデータ信号を重畳した後、その重畳信号により波長合波器２２０に接続された送信器２１１−３を変調する。データ信号と未使用波長情報の重畳方法として、レイヤー２スイッチを用いて、時間軸において交互に多重する方法や、ＳＣＭ（sub carier Multiplexing）を用いて、異なる周波数軸に多重する方法を、例として挙げることができる。
【００３３】
波長設定動作は、以下のように行われる。まず、波長合波器に接続された送信器の送信波長、および光フィルタの透過波長を合わせつつ、送信器の送信波長を順次掃引する。その際、光強度検出器が、掃引された送信波長を検出し、さらに波長情報検出器が、未使用波長情報を検出しないとき、その波長を既設定波長として認識し、次の波長に移る。一方、光強度検出器が、掃引された送信波長を検出し、さらに波長情報検出器が、未使用波長情報を検出したとき、送信器の送信波長を、当該波長に設定する。
【００３４】
図９の構成では、波長設定器２６０が、送信器２１１−３の送信波長、およびＢＰＦ２４０の透過波長を、λ１→λ２の順に掃引している間は、光強度検出器２５０が波長を検出するものの、波長情報検出器２８０は、未使用波長情報を検出しないため、波長設定器２６０は、λ１→λ２の波長が既設定波長であることを認識する。続いて、波長λ３に移るが、光強度検出器２５０は波長を検出しないため、波長設定器２６０は、λ３が既設定波長であると認識しλ４に移る。波長がλ４に移ると、光強度検出器２５０は波長を検出し、さらに波長情報検出器２８０は、未使用波長情報を検出するため、波長設定器２６０は、λ４が既設定波長であることを認識し、最終的に、送信器２１１−３の送信波長をλ４に設定し、動作を終了する。
【００３５】
本実施例による光送信装置によれば、波長λ１〜λＮの掃引を行えば、その間に未設定波長を見つけることができることから、実施形態１における第１の掃引を行う間に、波長の設定が完了することになり、実施形態２と同様、波長設定完了までの時間を短縮することができる。
【００３６】
尚、実施形態１〜５において、波長合波器２２０とＢＰＦ２４０とは光分岐器２３０を介して接続されているが、これは光送信装置を使用中に新たに接続された光送信器２１０の送信波長を設定するためである。そのため、光送信装置の使用を中断して光送信器２１０の設定を行う場合は、光分岐器２３０を使用せずに波長合波器２２０とＢＰＦ２４０とを接続してもよい。
【図面の簡単な説明】
【００３７】
【図１】ＷＤＭ光通信システムにおいて使用される従来の光送受信装置の構成を示す図である。
【図２】送信波長が可変可能な送信器を用いた従来の光送信装置の構成を示す図である。
【図３】本発明の実施形態１に係る光送信装置の構成を示す図である。
【図４】本光送信装置による波長設定動作のフローチャートである。
【図５】本発明の実施形態２に係る光送信装置の構成を示す図である。
【図６】実施形態２に係る光送信装置による波長設定動作のフローチャートである。
【図７】本発明の実施形態３に係る光送信装置の構成を示す図である。
【図８】本発明の実施形態４に係る光送信装置の構成を示す図である。
【図９】本発明の実施形態５に係る光送信装置の構成を示す図である。
【符号の説明】
【００３８】
１１０  光送受信器
１１１、１４１、２１１  送信器
１１２  受信器
１２０、２２０  波長合波器
１３０  波長分波器
１４０、２１０  光送信器
１４２、２１２  駆動部
２１３  波長情報重畳器
２３０  光分岐器
２４０  ＢＰＦ
２５０  光強度検出器
２６０  波長設定器
２７０  波長監視回路
２８０  波長情報検出器
【図１】
2010154062.tif 000003
【図２】
2010154062.tif 000004
【図３】
2010154062.tif 000005
【図４】
2010154062.tif 000006
【図５】
2010154062.tif 000007
【図６】
2010154062.tif 000008
【図７】
2010154062.tif 000009
【図８】
2010154062.tif 000010
【図９】
2010154062.tif 000011